(57)【要約】【課題】現在まで確立されていなかった、亡くなられた方の残された、或いはこれから残すことになる写真やアルバム類の供養になる対処方法を提供する。【解決手段】それらの最も大切と思われる写真類など一部を利用して、本人の思い出が詰まった未来に残す冊子「メモリアルブック」を作成、近親者や友人に配り、不必要な写真アルバム類は寺院などで御祓いや祈祷のうえ焼却処分することを代行するシステムを提供する。【選択図】  図１
2005242750.tif 000002
【特許請求の範囲】
【請求項１】
死亡した人が所有していた、或いは顧客の所有している写真やアルバムなどを利用して冊子やデータ編集記録物を作成し提供、更に不必要になった、死後は不必要になるであろう写真やアルバムなどを御祓や祈祷のうえ焼却処分することを代行するシステムであって、管理センターは、依頼者情報と写真や画像データ等の依頼対象資料を収集する受注手段として、依頼者情報を蓄積しておく依頼情報記憶装置と、依頼対象資料を蓄積しておく依頼資料記憶装置があり、その依頼情報、依頼資料をもとに制作物を作成する制作手段と、不要となった情報を破棄する処理指示手段を有するものであることを特徴とする死後に残った写真及びアルバムの供養になる処置法。
【発明の詳細な説明】
【技術分野】
【０００１】
本発明は、亡くなられた方の残された、或いはこれから残すことになる写真や写真アルバムの大切と思われる一部を利用し、未来に亘り本人の思い出だけでなく偉業や業績、作品やゆかりの物品などを写真や文章等で残し、写真やアルバム及びゆかりの品々で本人以外はあまり価値を認められないものを顧客の希望する時期に（場合によっては希望の宗派の）寺院や神社で御祓や祈祷した後、責任を持って焼却処分を代行するシステムを提供する。
【背景技術】
【０００２】
街には数多くのＤＰＥ屋が存在し毎日膨大な量の写真が各家庭に増え続けている筈で、今や一人分のアルバムが数十冊は当たり前という家庭も決して珍しくなくなった。狭い家に住んでいる方は勿論広い家に住んでいる方でもその持ち主が亡くなった場合、故人を偲ぶには多すぎる写真や写真アルバムが残され、連れ合いも既にいないとなると何時かは処分しなければと思いつつも、故人を偲ぶどころか不必要な邪魔な存在になってしまっている家庭も数多く存在する筈で、これからますます増え続けることは間違いなく、現在その的確な処分方法が確立されていないのが現状である。
【特許文献１】特開2000-194768
【特許文献２】特開2003-288423
【発明の開示】
【発明が解決しようとする課題】
【０００３】
写真を撮る、撮られる機会が少なかった昔は、亡くなった方が残した写真やアルバムの量は僅かで、故人を偲ぶ貴重なものとして保存しておいても邪魔になることはなかった筈だ。確かに故人を偲ぶには写真や写真アルバムが最も身近にあり最適なものであること自体間違いない。然し写真が趣味でなくとも膨大な量の写真、写真アルバムが残されているのが一般的事実で、特にウサギ小屋と称されるような狭い家に住んでいる場合は、当人しか意味を持たないスナップ写真や風景写真、団体旅行で本人以外見た事もない人ばかりの写真など本人以外保存しておいても邪魔なだけだ。とはいえ写真アルバムにはそれらが入り混じり、処分に頭を悩ましている家庭も多い筈だと考えた。例え区別出来たとしても処分するにはゴミ集積場にゴミとして出すしか方法がなく、供養になる処分法の確立を痛感させられていた。
【課題を解決するための手段】
【０００４】
第一の課題としてお亡くなりになられた方が所有していた、或いはご自分が所有している写真やアルバムなどを利用してビジュアルな、例えば自分本や自分史、メモリアルブックのような冊子を作成し提供、更に第二の課題として不必要になった、或いは死後は不必要になるであろう写真やアルバムなどを希望の時期や宗派などを聞いた上で御祓や祈祷のうえ焼却処分することを代行するシステムである。メモリアルアルバム的な冊子作りにあたりトータルで管理できる総合管理センターを設ける。この管理センターは、受注手段として先ず依頼者からの情報による写真や画像データ等の依頼対象情報や依頼対象資料を収集蓄積、それを冊子に必要なデータ、冊子には載せられなかったが画像データなどとして保存したいデータ、不必要で処分したいデータに分類、そのうち冊子作りに必要なデータをもとに冊子を作成する冊子制作センターがあり、不要で処分を依頼された写真や写真アルバムなどのデータは処理指示手段の指示により不要データ処理センターに回され、御祓や祈祷のうえ焼却処理する。                                                                                                                                                                                                                                                                                      
【０００５】
受注手段として葬儀社、互助会などの仲介業者を経由する場合もある。冊子制作にあたり、制作物データベースの内容をもとに校正、希望の装丁により冊子を作成する。勿論文章が主の一般本と異なり、写真と簡単な説明だけでも作ることが可能で、制作フォームを利用し、更に一般の本とは異なるオンデマンド写真画質印刷を用いての印刷で、少ない費用と簡単な作業内容で小部数のビジュアル本が完成する。
【０００６】
依頼者からの依頼情報をもとに後世増刷することを考えた冊子の印刷データ、冊子には載せられなかったが残したい画像などのデータ、不要なデータを分類区別し、不要になった情報（ここで言う情報は写真やアルバムなどを含む）を然るべきところで御祓や祈祷のうえ焼却処分する。以上のシステムを特徴とする死後に残った写真及びアルバムの供養になる処置法を提供する。
【０００７】
一方、死後に残される自分自身の写真のことを改めて考える時、今のうちにメモリアルブックのようなものを作り、自分自身の足跡や生き様、功績などを見える形にして残し、さらにそれ以外の不要な写真アルバム類は然るべきところで御祓祈祷後焼却処分という手続きが出来ると言うこ選択肢があるということは、本人にとっても大変有難いこいとで、残されたご家族にとっても心が痛まずに安心して処理できる優れた方法として提供する。
【０００８】
制作物保存ＤＢの別の形として閲覧をパソコンやＴＶで連続して見ることができる
タイプを編集作成し、記憶装置に記憶させて提供する方法も提供する。
【発明を実施するための最良の形態】
【０００９】
以下、本発明の第一実施形態を図面を参照して説明する。
顧客１は本人の冊子作成を依頼する場合と、近親者などの他人の冊子を依頼する場合がある。いずれの場合も受注手段として管理センター１３は顧客から写真や写真アルバムなどの依頼資料と依頼情報の提供を受け、それらのデータを依頼情報蓄積データベース４と依頼資料蓄積データベース５に蓄積、編集フォーマット６を加えた情報をもとに制御部３で制御、冊子に必要なデータを蓄積する冊子用データベース８、冊子に必要はないが保存しておきたいデータを蓄積保存するデータベース７、不要なデータ９、に分類保存蓄積、これも制御部３でコントロールする。
【００１０】
図２は依頼情報による情報データ保存テーブルの一例である。図３は依頼資料による資料データ保存テーブルの一例である。例えば依頼情報データテーブルの一行目について説明すると依頼Ｎｏは複数種類受注したものの一種類目の冊子、頁は３頁、制作ファイル名はＤＪ-０１、フォーマットは図４の２１に、利用データは依頼資料データのナンバーに適応する。即ち制作ファイルＤＪ-０１は○山○男様複数依頼の一種類目、昭和３年２月２３日生まれ、住所ファイルナンバーＡＱ−２０６の○山△雄様の冊子制作分の３ページ目で、熱海温泉旅館前で平成２年に撮った４.２ＭＢのＪＰＧで保存してある一人の画像をＦｏｒｍａｔＡに当てはめ、添付文字データを加えたものを使用するということになる。
【００１１】
これらの情報をもとに顧客に冊子制作素案を提示、相談の後最適な案を決定、冊子必要データベースに保存蓄積したものを制作手段１０の制作物データベースに保存、それをもとに冊子を制作する。この作成センターは別の作成会社に依頼する場合もある。小部数印刷に適しているオンデマンド印刷を利用することにより経費節減を計る。
【００１２】
冊子作成用に作られたデータは保存用に手直しして作成データ１１に更新蓄積、顧客または制作センターなどで刷り増しまたは後世に残す冊子制作データとして長期保存する。
【００１３】
処分に必要なデータ（写真、写真アルバム等）は処理指示手段１２としての不要データ処理センター１５に回され一部顧客からの処理依頼分も含めて顧客希望の宗派の神社仏閣等に御祓や祈祷を依頼、御祓祈祷１７後焼却処分１８する。
【００１４】
尚冊子制作にあたり、現在有る写真以外でも、顧客からの要望で撮影した写真、賞状、文章等を含めて作成編集レイアウトすることも含む。
【図面の簡単な説明】
【００１５】
【図１】本発明のシステム構成図
【図２】依頼情報データのテーブルの一例
【図３】依頼資料データのテーブルの一例
【図４】メモリアルブック制作フォームの一例
【符号の説明】
【００１６】
１  顧客
２  受注手段
３  制御部
４  依頼情報記憶装置
５  依頼資料記憶装置
６  編集フォーマット
７  必要データ記憶保存データベース
８  冊子に必要なデータ記憶保存データベース
９  不要データ保存データベース
１０  制作手段
１１  制作物データベース
１２  処理指示手段
１３  管理センター
１４  冊子制作センター
１５  不要データ処理センター
１６  処理手段システム
１７  御祓  祈祷
１８  焼却
１９  依頼情報データのテーブル
２０  依頼資料データのテーブル
２１  フォーマットA
２２  フォーマットB
２３  フォーマットC
２４  フォーマットD
【図１】
2005242750.tif 000003
【図２】
2005242750.tif 000004
【図３】
2005242750.tif 000005
【図４】
2005242750.tif 000006